(57)【要約】【課題】装飾を施した内装面を簡単に形成することのできる内装面構造を提供する。【解決手段】本発明の内装面構造は、裏板材２と、内装面の表面を形成する仕上げ板材３と、端部に段差状の収まり部１ｂを設けた装飾部材１とを備え、裏板材２の端部と装飾部材１の収まり部１ｂ側の端部とを当接し、この裏板材１及び装飾部材１の端部を下地材８に固定し、仕上げ板材３の端部を前記収まり部１ｂに収めつつ裏板材２の表側に配する構成を有することを特徴とした。【選択図】図１
2008144439.tif 000002
【特許請求の範囲】
【請求項１】
裏板材と、内装面の表面を形成する仕上げ板材と、端部に段差状の収まり部を設けた装飾部材とを備え、裏板材の端部と装飾部材の収まり部側の端部とを当接し、裏板材及び装飾部材の端部を下地材に固定し、仕上げ板材の端部を前記収まり部に収めつつ裏板材の表側に配する構成を有する内装面構造。
【請求項２】
内装面の裏方にある躯体と装飾部材の裏側とを連結部材で連結する構成を有する請求項１に記載の内装面構造。
【請求項３】
装飾部材の裏側にスライド可能な接合部を設け、接合部をスライドさせて下地材に係合する構成を有する請求項１又は２に記載の内装面構造。
【請求項４】
裏板材と、内装面の表面を形成する仕上げ板材と、端部に段差状の収まり部を設けた装飾部材とを備えた内装面の形成方法であって、裏板材の端部と装飾部材の収まり部側の端部とを当接し、裏板材及び装飾部材の端部を下地材に固定した後、仕上げ板材の端部を前記収まり部に収めつつ裏板材の表側に配する工程を含む内装面の形成方法。
【発明の詳細な説明】
【技術分野】
【０００１】
本発明は、装飾などを施した内装面を形成することができる建築物の内装面構造に関する。
【背景技術】
【０００２】
従来、天井や壁などの内装面に装飾を施す場合、スプレー、刷毛、鏝などで装飾を施すことがある。
例えば、下記特許文献１には、剥離性樹脂材を型紙の代わりに使用し、複雑なデザインの壁を施工する方法が記載されている。また、下記特許文献２には、ゲル状の多彩模様塗料を、刷毛等で点接触式に押し付けて壁面を形成する方法が、下記特許文献３には、片状に粉砕した紙などをスプレーガンで吹き付けて壁面を装飾する方法が記載されている。
【０００３】
【特許文献１】特開平６−９９１３０号公報
【特許文献２】特開平９−２９０２０５号公報
【特許文献３】特開２００６−１５２７２７号公報
【発明の開示】
【発明が解決しようとする課題】
【０００４】
上記した装飾方法は、壁面や天井面などになる板材を取付けてから装飾を施すものであり、施工に日数を必要とするものであった。特に、立体状の装飾など複雑な形状の装飾を施す場合は、より施工に日数を必要とするものであり、このような装飾を行なうことは手間がかかるため減少傾向にある。
【０００５】
そこで、本発明の目的は、装飾を施した内装面を簡単に形成することのできる内装面構造を提供することにある。
【課題を解決するための手段】
【０００６】
本発明の内装面構造は、裏板材と、内装面の表面を形成する仕上げ板材と、端部に段差状の収まり部を設けた装飾部材とを備え、裏板材の端部と装飾部材の収まり部側の端部とを当接し、裏板材及び装飾部材の端部を下地材に固定し、仕上げ板材の端部を前記収まり部に収めつつ裏板材の表側に配する構成を有することを特徴とする。
【０００７】
このような構造にすることにより、予め装飾を施した装飾部材を形成しておき、この端部を下地材に固定すればよいため、簡単に装飾を施した内装面を形成することができる。また、装飾部材の端部に段差状の収まり部を設け、ここに仕上げ板材の端部を収めることにより、裏板材と装飾部材との接合部を隠すことができ、見栄えのよい内装面とすることができる。
【０００８】
上記内装面構造は、内装面の裏方にある躯体と装飾部材の裏側とを連結部材で連結する構成にすることができる。
このようにすることにより、装飾部材を下地材だけでなく連結部材でも支えることができるので、重量が嵩む装飾部材を安定して固定することができる。
【０００９】
さらに、上記内装面構造は、装飾部材の裏側にスライド可能な接合部を設け、接合部をスライドさせて下地材に係合する構成にすることができる。
このようにすることにより、装飾部材を下地材に接合部で係合することができるので、装飾部材が下地材から外れにくくなる。
【００１０】
上記内装面構造は、裏板材の端部と装飾部材の収まり部側の端部とを当接し、裏板材及び装飾部材の端部を下地材に固定した後、仕上げ板材の端部を前記収まり部に収めつつ裏板材の表側に配して形成することができる。
【発明を実施するための最良の形態】
【００１１】
以下、本発明の一実施形態を、図面を用いて説明する。
なお、本実施形態では、本発明の内装面構造を用いて天井面を形成する場合を説明するが、これに限定されるものではなく、壁面などを形成することもできる。
【００１２】
図１は本発明の一実施形態の内装面構造を用いた天井面の断面図、図２は図１に示した内装面構造で用いる装飾部材の斜視図、図３は図１に示した内装面構造の下地材付近の拡大図、図４（Ａ）は図１で示した内装面構造で用いる接合部の斜視図、（Ｂ）は接合部の側面図である。
【００１３】
本発明の一実施形態の内装面構造は、図１に示すように、装飾部材１と、裏板材２と、仕上げ板材３と、連結部材４と、接合部５とを主な構成として備えている。
【００１４】
装飾部材１は、図２に示すように、略矩形状の板材に装飾や造形を施してあり、天井面を覆うものである。本実施形態では、略中央をドーム状に窪ませた造形を施してある。
装飾部材１の端部には、表面１ａ側の周囲を適宜幅で凹ませて段差状の収まり部１ｂが形成してある。本実施形態では、周囲に収まり部１ｂを形成してあるが、これに限定するものではなく、対向する二辺側のみに設けるなどすることもできる。
装飾部材１は、四分割できるようにしてあり、図１に示すように、一片の端部を凹まして凹部１ｃを形成し、ここに他片の端部を収めてネジ、釘、接着剤などで固着して組み立てられるようにしてある。
本実施形態では、四分割できるようにしてあるが、これに限定するものではなく、一枚で形成したり、さらに細かく分割できるようにしたりすることもできる。
【００１５】
裏板材２は、略矩形状の板材であり、装飾部材１の収まり部１ｂの厚さと略同じ厚さに形成してある。
仕上げ板材３は、略矩形状の板材であり、裏板材２の表側に配して天井面の表面を形成するものである。仕上げ板材３の厚さは、収まり部１ｂの深さと略同じに形成してある。
【００１６】
連結部材４は、上階の床などの躯体６と装飾部材１とを連結ずるものである。本実施形態では、図１に示すように、装飾部材１の端部と躯体６とをワイヤ４ａで連結し、装飾部材１の中央付近と躯体６とを、一端を垂直に折り曲げた長尺状の板材４ｂで連結してある。
連結部材４は、連結具７を介して装飾部材１と結合されており、連結具７は、図４に示すように、矩形の板材を略コの字状に折り曲げて収まり部１ｂ又は凹部１ｃの端部に挟み込みできる挟み込み部７ａを形成してある。挟み込み部７ａの天井面裏側に配する面を固定面７ｂとしてあり、この面７ｂに孔７ｃ（図示せず）を形成し、ボルト９を挿し通して装飾部材１に固定できるようにしてある。また、この面７ｂの先端部には、天井面裏方に突出した連結面７ｄを形成し、この面７ｄ上に孔７ｅを形成し、ワイヤ４ａを結合したり、ボルトを挿し通して板材４ｂと連結したりすることができる。
また、連結部材４は、躯体６とは、断面略Ｌ字状板材の取付部材４ｃを介して連結したり、板材４ｂを直接固定したりして連結してある。
【００１７】
接合部５は、図４に示すように、略長方形状の板材の長手方向の両端部を反対方向に略垂直に折り曲げて形成してあり、一端部を連結具７の挟みこみ部７ａ上をスライドするスライド面部５ａとし、他端部を柱材などの下地材８に係合する係合面部５ｂとしてある。スライド面部５ａ上には、接合部５の長手方向に沿い長孔５ｃが形成してあり、ボルト９を挿し通しできるようにしてある。
【００１８】
以下、本発明の一実施形態の内装面構造を用いた天井面の施工方法の一例を説明する。
ワイヤ４ａを取付部材４ｃに連結し、この取付部材４ｃを、躯体６の適宜箇所にボルトなどにより取り付ける。また、板材４ｂを、躯体６の適宜箇所にボルトなどにより取り付ける。
次に、連結具７の挟み込み部７ａを、装飾部材１の収まり部１ｂの適宜箇所に挟み込み、接合部５のスライド面部５ａを連結具７の固定面７ｂ上に接面させる。これらの孔７ｃ及び長孔５ｃにボルト９を挿し通して締結する。この際、接合部５を、装飾部材１を天井面に配したとき、係合面部５ｂが下地材８側に向くように配し、また、接合部５がスライドできる程度に緩めにボルト９を締結する。
装飾部材１の凹部１ｃの適宜箇所に、連結具７の挟み込み部７ａを挟み込み、孔７ｅにボルト９を挿し通して連結具７を装飾部材１の裏面側に固定する。
連結具７の配置箇所や配置数は、装飾部材１の大きさや重量により決めるのが好ましい。
【００１９】
装飾部材１の収まり部１ｂの裏側を、下地材８の表側面の略幅半分を覆うように接面させ、釘、ネジなどで装飾部材１を下地材８に固定する。次に、躯体６に取付けたワイヤ４ｂ及び板材４ｃを適宜箇所の連結具７の連結面７ｄに連結する。そして、接合部５を、図４（Ｂ）に示すように、下地材８側にスライドさせ（二点鎖線の位置から実線の位置）、装飾部材１を接合部５で下地材８に係合させる。長孔５ｃに緩く締結したボルト９を強固に締結して連結具７及び接合部５を装飾部材１の裏側に固定する。
【００２０】
裏板材２の端部を、固定した装飾部材１の端部に当接させ、下地材８の表側面の残り略幅半分を覆うように接面させ、釘、ネジなどで裏板材２を固定する。
仕上げ板材３の端部を、装飾部材１の収まり部１ｂに収めつつ、仕上げ板材３を裏板材２の表側に配し、釘、ネジなどで固定して天井面を形成することができる。
【００２１】
このように本発明の内装面構造を用いた内装面は、装飾部材を作成してから現場で固定すればよいため、簡便に施工することができる。また、装飾部材と裏板材との合わせ部を仕上げ板材で隠すことができるため、見栄えのよい天井面とすることができる。
【００２２】
上記実施形態の構成態様は、本発明を限定するものとして挙げたものではなく、技術目的を共通にするかぎり変更は可能であり、本発明はそのような変更を含むものである。
【図面の簡単な説明】
【００２３】
【図１】本発明の一実施形態の内装面構造を用いた天井面の断面図である。
【図２】図１に示した内装面構造で用いる装飾部材の斜視図である。
【図３】図１に示した内装面構造の下地材付近の拡大図である。
【図４】（Ａ）は図１で示した内装面構造で用いる接合部の斜視図、（Ｂ）は接合部の側面図である。
【符号の説明】
【００２４】
１装飾部材  １ａ表面  １ｂ収まり部  １ｃ凹部  ２裏板材  ３仕上げ板材
４連結部材  ４ａワイヤ  ４ｂ板材  ４ｃ取付部材  ５接合部
５ａスライド面部  ５ｂ係合面部  ５ｃ長孔  ６躯体  ７連結具
７ａ挟み込み部  ７ｂ固定面  ７ｃ孔  ７ｄ連結面  ７ｅ孔  ８下地材
９ボルト
【図１】
2008144439.tif 000003
【図２】
2008144439.tif 000004
【図３】
2008144439.tif 000005
【図４】
2008144439.tif 000006